(57)【要約】      （修正有）【課題】吸引した液体を排出するために押圧部を押す際に、吸引採取量の調節するためのリングの回転をそのときだけ固定し、その液体の排出が終了したときにその固定を解除することができるピペット装置の提供。【解決手段】使用者が液体を吸引しかつ排出する量を調節するために回転する回転リング部２７と、回転リング部２７をその内部に収納するケース部４０と、ケース部４０に配置され回転リング部２７の回転を阻止するためのリング固定部２８と、を有し、使用者がケース部４０を把持することで、使用者がリング固定部２８を押圧し、リング固定部２８が回転リング部２７と接することで、その回転リング部２７の回転を阻止するピペット装置。【選択図】図１
2019111500.tif 000002
【特許請求の範囲】
【請求項１】
使用者が液体を吸引しかつ排出する量を調節するために回転する回転リング部と、
前記回転リング部をその内部に収納するケース部と、
前記ケース部に配置され前記回転リング部の回転を阻止するためのリング固定部と、を有し、
使用者がケース部を把持することで、前記使用者が前記リング固定部を押圧し、前記リング固定部が前記回転リング部と接することで、その回転リング部の回転を阻止するピペット装置。
【請求項２】
前記リング固定部は、前記ケース部に弾性的に連結されている請求項１記載のピペット装置。
【請求項３】
前記リング固定部は、前記ケース部の前端部方向に配置した請求項１または２に記載のピペット装置。
【発明の詳細な説明】
【技術分野】
【０００１】
本発明は、ピストン部の動きに応じて液体を吸引しつつ保持しその液体をさらに排出することができるピペット装置に関するものである。
【背景技術】
【０００２】
このようなピペット装置として、本出願人が所有する特許第４９８９１３３号等において、そのピペット装置の先端に配置されたピペットチップを、使用後に、取り外して廃棄するための除去手段を備えたマイクロピペット装置が開示されている。
【０００３】
このように、上記ピペットは、ローレット式回転リングの刻み目を移動することにより吸引しかつまた排出する液体の量を調節する。即ち、ピペット装置は後述するように、ピストン部の移動によって、液体をその先端に取り外し可能に配置されたピペットチップ内に吸引するものである。このピストン部は、ピストンシリンダー部内において、環状すなわち、リング状を呈しその中心に孔状の環状内部を有するパッキン部を配置し、そのパッキン部の環状内部においてそのピストン部が摺動することによって液体を吸引する。
【０００４】
しかしながら、吸引した液体を排出するときに、押圧部を押すことでその液体を排出するが、その吸引する際にあらかじめ設定した吸引量を規定する、ローレット式回転リングに触れてしまい、そのリングが回転する場合がある。このリングが不意に回転するとそのときの設定した吸引する量が変化することで、使用者が意図しない吸引量となる場合があり、きわめて不利不便である。
【０００５】
これを解決するものとして、特許第５６５７８６１号において、回転式デジタルメータと共通の軸部に嵌着されて、採取すべき液体の吸引採取量を調節設定するためのローレット式回転リングを備えてなるマイクロピペット装置であって、前記ローレット式回転リングの刻み目が、ピペットハウジングの窓縁部の少なくとも１の突起状の内側角部に軽く係止されて、当該突起状の内側角部と共に、自然解除せず指動解除可能な軽度ストッパとして機能することを特徴とするピペット装置が開示されている。
【０００６】
しかしながら、上記軽度ストッパは、自然解除せず、常にローレット式回転リングの刻み目が、ピペットハウジングの窓縁部の少なくとも１の突起状の内側角部に軽く係止されているので、ローレット式回転リングの回転の抵抗となり、採取すべき液体の吸引採取量の調節がしにくいとの問題が生じる。また、その軽度ストッパは上記のとおり必要がなくなったときに、自動的に解除するというものではない。
【先行技術文献】
【特許文献】
【０００７】
【特許文献１】特許第４９８９１３３号公報
【特許文献２】特許第５６５７８６１号公報
【発明の概要】
【発明が解決しようとする課題】
【０００８】
本発明は前記の点に鑑みなされたもので、その課題は、吸引した液体を排出するために押圧部を押す際に、吸引採取量の調節するためのリングの回転をそのときだけ固定し、その液体の排出が終了したときにその固定を解除することができるピペット装置を提供することを目的とする。
【課題を解決するための手段】
【０００９】
鋭意研究開発の結果前記の課題を解決するため、第１観点のピペット装置は、使用者が液体を吸引しかつ排出する量を調節するために回転する回転リング部と、回転リング部をその内部に収納するケース部と、ケース部に配置され回転リング部の回転を阻止するためのリング固定部と、を有し、使用者がケース部を把持することで、その使用者がリング固定部を押圧し、リング固定部が回転リング部と接することで、回転リング部の回転を阻止するというものである。
【００１０】
また、第２観点のピペット装置は、第１観点において、リング固定部は、ケース部に弾性的に連結されているというものである。
【００１１】
また、第３観点のピペット装置は、第１観点または、第２観点において、リング固定部は、前記ケース部の前端部方向に配置したというものである。
【発明の効果】
【００１２】
本発明は上記のように構成されかつ作用するものであるから、吸引した液体を排出するために押圧部を押す際に、吸引採取量の調節するためのリングの回転をそのときだけ固定し、その液体の排出が終了したときにその固定を解除することができるピペット装置を提供することができる。
【図面の簡単な説明】
【００１３】
【図１】ピペット装置の斜視図。
【図２】Ａは、ピペット装置の縦断面図。Ｂは、ＡのＩＩＢ−ＩＩＢ線断面図。
【図３】ピペット装置におけるケース部の縦断面拡大図。
【図４】ａは、つまみ部が窓部において下方に配置されている状態図。ｂは、つまみ部が窓部において中間に配置されている状態図。ｃは、つまみ部が窓部において上方に配置されている状態図。
【図５】ピペット装置におけるケース部の縦断面拡大図。
【図６】ピペット装置におけるピストン収納部の縦断面拡大図。
【図７】ピペット装置において、つまみ部が第２窓部において右方に配置されている縦断面図。
【図８】ピペット装置において、つまみ部が第２窓部において左方に配置されている縦断面図。
【発明を実施するための形態】
【００１４】
本実施例のピペット装置１０について説明する。本実施例におけるピペット装置１０は、使用者が液体を吸引しかつ排出する量を調節するために回転する回転リング部２７と、その回転リング部２７をその内部に収納するケース部４０と、そのケース部４０に配置され回転リング部２７の回転を阻止するためのリング固定部２８と、を有するものである。
【００１５】
ケース部４０は、図示しない使用者が把持するためのものである。また、使用者が押圧するためにケース部４０の上端部方向Ｕに配置した押圧部２０と、その押圧部２０に接続されたピストンロッド部３０と、そのピストンロッド部３０に接続され、液体を吸引するために移動可能なピストン部５０と、そのピストン部５０を収納したピストン収納部７０と、を有するものである。
【００１６】
リング固定部２８は、上記のとおり、合成樹脂製のケース部４０に配置されている。本実施例においては、リング固定部２８は、ケース部４０の一部を構成している。すなわち、合成樹脂製のケース部４０の一部に切れ込み２８ａを入れることにより、弾性を有するリング固定部２８を構成することもできる。従って、このリング固定部２８を押圧することで、リング固定部２８の根元付近のケース部４０との接続部分２８ｂが弾性変形することで、リング固定部２８が回転リング部２７を押圧することができる。すなわち、リング固定部２８押圧され、その押圧されたリング固定部２８′が、回転リング部２７の回転を阻止し、その回転を止めることができる（図２、図３参照）。これにより一度設定した吸引量が変化することがなく、このままの状態で、押圧部２０を押せば、その吸引した量の液体を排出することができる。なお、リング固定部２８を押圧した状態の、押圧されたリング固定部２８′は、図２、図３において、破線で示している。
【００１７】
なお、本実施例のピペット装置１０において使用時は、上端部方向Ｕを上にして、前端部方向Ｆを図示しない使用者の前方に向けて使用する。言い換えれば、下端部方向Ｄを下にして、後端部方向Ｒを使用者の手前側にくるように向け、ケース部４０を把持して使用する。これにより、ケース部４０における前端部方向Ｆにリング固定部２８を配置すれば、いわば自動的に使用者の指がかかり、ケース部４０を把持すると同時に、リング固定部２８を押圧し、その押圧されたリング固定部２８′が、回転リング部２７の回転を阻止することができる。これにより上記のとおり一度設定した吸引量が変化することがない。また、ケース部４０から使用者の指を離せば、自動的にリング固定部２８の押圧がなくなり、回転リング部２７が回転可能となる。よって、設定した吸引量の変更が可能となる。また、ピストン部５０によって吸引した、液体状の薬品から発生し雰囲気Ｘを外部へ排出するために、使用者が把持するためのケース部４０に通気孔４９を有する。
【００１８】
また、ピッペットチップ８０を取り外し可能に配置している。さらに、押圧部２０とピストンロッド部３０と、ピストンロッド部３０と、ケース部４０と、パッキン部６０と、ピストン収納部７０と、ピストン部５０とのそれぞれの中心は、同一線上に配置されている。
【００１９】
押圧部２０は、後述するように文字通り使用者が液体を排出するために押圧する動作を行うためのものである。この押圧部２０は、長尺の軸部２１と、上端部方向Ｕに、円盤状のつまみ部２２を有し、そのつまみ部２２の縁部分に凹凸部分を配置した凸凹部２３を有している。この凸凹部２３については後述するように、軸部２１を軸周りに回転する際の滑り止めとして設けられている。また、長尺の中空筒状の筒部２６を有し、この筒部２６の内部に長尺の軸部２１が配置されている。軸部２１におけるその軸周りの回転は、図示しないが筒部２６と同期するように軸止されており、軸部２１を軸周りに１回転するとその筒部２６も同様に軸部２１周りに１回転する。
【００２０】
このように筒部２６は、軸周りに回転するが、筒部２６は、ケース部４０の内部において雌ねじ部４１ａが形成され、筒部２６においても雄ねじ部２６ａが形成されているために、それらが螺合する。即ち互いにかみ合う。従って、軸部２１を軸周りに回転すると、筒部２６も回転すると共に、その軸部２１が、筒部２６に対して相対的に下端部方向Ｄに移動する。なお、それとは逆にその軸部２１を回転するとその軸部２１が、筒部２６に対して相対的に上端部方向Ｕに移動する。これによって後述するようにピストン部５０が、軸部２１に接続されたピストンロッド部３０によって、下端部方向Ｄに下降し、または上端部方向Ｕに上昇して、吸引する液体の量の増減を調整することができる。これについてはさらに後述する。
【００２１】
ピストンロッド部３０は、ケース部４０の内部に配置されている。また、そのピストンロッド部３０は、ピストン軸部３１と、太軸上端部３２と、を有するものである。太軸上端部３２は、太軸部３２ａと上端部３２ｂとを有する。また、ピストン軸部３１は、文字通り長尺の棒状を呈し、その一端に、そのピストン軸部３１を、その軸部３１より太い太軸部３２ａで覆うように配置する。即ち、太軸部３２ａは中空筒状であり、その内部に、ピストン軸部３１が配置され固定される。また、その太軸部３２ａの端部に皿形状を呈する上端部３２ｂを固定している。さらに、ピストン軸部３１の下端部方向Ｄに配置された他端は、後述するピストン部５０と接続されている（図３参照）。
【００２２】
弾性部３３は、ピストンロッド部３０を押圧部２０の方向すなわち上端部方向Ｕに付勢する。また、弾性部３３は、上端部方向Ｕから下端部方向Ｄにおいて、順に、第１バネ部３３ａと第１座金部３３ｃと第２座金部３３ｄと第２バネ部３３ｂとが配置されており、いずれもピストン軸部３１が挿入され、そのピストン軸部３１が第１バネ部３３ａと第１座金部３３ｃと第２座金部３３ｄと第２バネ部３３ｂとのそれぞれの中心を貫通するように配置されている。なお、この場合第１バネ部３３ａと第２バネ部３３ｂは、コイルバネが好ましい。また、第１座金部３３ｃと第２座金部３３は円盤形状を呈することが好ましい（図３参照）。
【００２３】
第１バネ部３３ａは、一端がピストンロッド部３０における太軸上端部３２と接し、他端部が、第１座金部３３ｃと接する。また、第１座金部３３ｃと第２座金部３３ｄとが接するように配置されている（図３参照）。
【００２４】
また、第２バネ部３３ｂは、その一端が第２座金部３３ｄと接し、他端が、後述する第２ケース部４６の凹部４７に接している。なお第１座金部３３ｃの中心に、円形の孔である中心孔部３３ｃｃが、配置され、その中心孔部３３ｃｃは、太軸部３２ａが通過することができる孔径である。なお、第２座金部３３ｄの中心に、円形の孔である第２中心孔部３３ｄｄが、配置され、その第２中心孔部３３ｄｄは、太軸部３２ａが通過することができないように、中心孔部３３ｃｃよりも、その孔径を小としている。従って、中心孔部３３ｃｃの径、押圧部２０の径、第２中心孔部３３ｄｄの径、の順でその口径は小さくなるように設定されている。もっとも、いずれも、ピストンロッド部３０におけるピストン軸部３１が、貫通していることは上述のとおりである。また、第１バネ部３３ａよりも第２バネ部３３ｂのバネ定数は大である。
【００２５】
また、上述のとおりいずれもピストン軸部３１がそれら即ち、第１バネ部３３ａと第１座金部３３ｃと第２座金部３３ｄと第２バネ部３３ｂとを挿通するように配置されている。よって、ピストンロッド部３０は、それら第１バネ部３３ａと第１座金部３３ｃと第２座金部３３ｄと第２バネ部３３ｂとによって、上端部方向Ｕに付勢され、押圧部２０を下端部方向Ｄに押した際の抵抗力となっている。このために、後述するピストン部５０も下端部方向Ｄに付勢されている。
【００２６】
ケース部４０は第２ケース部４６に接続されている。ケース部４０は、内部は中空筒状を呈し、その外形は使用者が把持するためにほぼ楔形状を呈している。従って、ケース部４０は、使用者にとっては握りやすい形状となっている。
【００２７】
また、ケース部４０は開口部である窓部４２を有し、その窓部４２の内部に目盛部４３を配置している。この目盛部４３は３桁の数字を表示し、上述の筒部２６の移動量を表示している。なお、目盛部４３は透明な樹脂で構成され中空筒状を呈し、その内部において３段の数字が表示され、下段４３ａが０.１の位、中段４３ｂが１の位、上段４３ｃが１０の位を表現している。この下段４３ａは、目盛が０．１であり。それが，１回転で５０目盛刻まれている。中段４３ｂは、下段４３ａが１０目盛回転すると１目盛回転し、中段４３ｂが１回転すると、上段４３ｃが１目盛回転することになる。なお、その上段４３ｃの目盛は０から９まで記載されているが、その上段４３ｃの目盛は６まで回転するように許容されている。これについては、後述する。
【００２８】
ケース部４０の両側に開口部として第２窓部４４、４４に配置している。また、リング固定部２８は、その第２窓部４４、４４の間の位置に配置され、そのケース部４０の前端部方向Ｆに配置されることが好ましい。すなわち、ケース部４０は、第２窓部４４、４４の間の部分は閉塞され、その前端部方向Ｆに上記リング固定部２８は配置されている。また、第２窓部４４、４４の内部には、その筒部２６に固定された回転リング部２７が配置され、その第２窓部４４、４４を通じて、使用者が、その回転リング部２７を軸周りに回転することで、つまみ部２３を回転するのと同様に、筒部２６の移動量を増減することができる。なお筒部２６に配置した回転リング部２７が、第２窓部４４における第２窓上端部４４ａと接触することによりその筒部２６の移動が制限され、それ以上その回転リング部２７が回転しないように設定されている。従って上記のとおり、その１０の位は６が最高になるように、その筒部２６の移動量が制限されている（図４ａ、ｂ、ｃ参照）。また、それに軸止された、押圧部２０の移動が制限され、それに接続されたピストンロッド部３０と、ピストン部５０の移動も制限される。
【００２９】
ケース部４０は、中空筒状の他端部４５ａの内側に段差となる段差部４５ｂを設け、第２ケース部４６と接続部１００を介して接続した場合において、上述の第１座金部３３ｃが係止されるように配置されている。従って、第１座金部３３ｃの外径は、段差部４５ｂの内径に配置することができるようにその内径とほぼ同様の寸法である（図５参照）。
【００３０】
第２ケース部４６は、中空筒状を呈し、上述のピストンロッド部３０がその筒状内における中心に配置された筒孔部４６ａにおいて下端部方向Ｄまたは上端部方向Ｕに移動可能に配置されている。また、上述のとおり第２バネ部３３ｂの他端が、凹部４７に配置されている。
【００３１】
ピストン収納部７０は、いわゆるピストンシリンダーとして機能するものであり、共に有底筒状のピストン収納上部７１とピストン収納下部７２とを有する。これらを互い開口部７１ａ、７２ａに、それぞれメネジ部７１ｂと、オネジ部７２ｂとをそれぞれ有することで、それらが、螺合して固定されている（図６参照）。
【００３２】
また、ピストン収納上部７１とピストン収納下部７２との間にパッキン部６０が配置され、ピストン収納上部７１とピストン収納下部７２との間においてそのパッキン部６０とがそれらに挟まれるように固定されている。このパッキン部６０は、環状を呈し孔状の環状内部６１を有し、この環状内部６１に摺動可能にピストン部５０が配置されている。またこのパッキン部６０は柔軟性を有するゴム、合成樹脂が好ましい。また、このパッキン部６０は、ピストン部５０と水密性を確保し、吸引した液体の成分を含む雰囲気Ｘが、ケース部４０内に侵入しにくい構成となっている。ピストン収納部７０は、その下端部方向Ｄに長尺の中空筒状を呈するピペットチップ保持部７１ｃを有し、このピペットチップ保持部７１ｃに、ピペットチップ８０を接続することができる。ピペットチップ保持部７１ｃは先端部方向Ｆに向かって、徐々に細くなる断面視テーパー状を呈し、先端部７２の内部にフィルター７３がはめ込まれている。また、先端部７２の外周にゴムからなる滑り止め７４を有し、ピペットチップ８０との接続を確実なものとしている。
【００３３】
ピペットチップ８０は先端部８１が細く尖った形状を呈し、少量の液体を吸引しやすいように構成されている。また上端部方向Ｕに向かって徐々に太くなる側面視テーパー状を呈し、中空筒状を呈している。またピペットチップ上端部８２は開口し、上述のピペットチップ保持部７１ｃにおける先端部７２の外周に配置した滑り止め７４と嵌合していることは上記のとおりである。このピペットチップ８０は取り外し可能であり、透明な合成樹脂で製作することが好ましく、使用する薬液ごとに交換することができる（図６参照）。
【００３４】
このような構成のピペット装置１０は、吸引する液体の量を調整することができる。ここで、押圧部２０が、最も図面右すなわち上端部方向Ｕに位置する場合おいて、ピストン収納部７０の底部７５からピストン部５０の位置を当初位置ｔとする（図７参照）。
【００３５】
その状態から、使用者が押圧部２０を押すとピストン部５０が、ピストン収納部７０の底部７５に接近する。この位置を第１接近位置ｔ1とする（図２参照）。当初位置ｔ（図７参照）から第１接近位置ｔ1まで、ピストン収納部７０内におけるピストン部５０の移動量が、吸引する液体の量である。ここで、第１接近位置ｔ1は、吸引する量を調整した場合であっても、その位置は後述のほか変化しないものの、押圧部２０を押さない状態の場合のピストン部５０におけるピストン収納部７０の底部７５から当初位置ｔが、底部７５に接近するように変化するのである。この、押圧部２０が、最も上端部方向Ｕに位置する場合の当初位置ｔにおける目盛部４３の数値は、６００である（図２、図４ｃ参照）。
【００３６】
これは上述のとおり、つまみ部２３または回転リング部２７を回転すると、筒部２６が回転するが、筒部２６は、後述するケース部４０の内部において雌ねじ部４１ａが形成され、筒部２６においても雄ねじ部２６ａが形成されているために、それら螺合し、軸部２１を軸周りに回転すると、筒部２６も回転すると共に、筒部２６が軸部２１に対して軸部２１の先端部方向Ｆに移動する。これにより、ピストンロッド部３０における太軸上端部３２を、先端部方向Ｆに移動させることにより、ピストン部５０も先端部方向Ｆに押されて移動する。このときの目盛は６００から０になるように徐々に減少する。
【００３７】
このとき、上記のとおり、第１バネ部３３ａよりも第２バネ部３３ｂは、バネ定数が大であるために、先に第１バネ部３３ａが徐々に圧縮される。またそれと同時にピストン部５０も、ピストン収納部７０の底部７５に近づくように移動する。
【００３８】
さらに、つまみ部２３または回転リング部２７を回転すると、第１バネ部３３ａが徐々に圧縮され、ピストン収納部７０の底部７５に近づくように移動すると、太軸上端部３２は、第１バネ部３３ａを圧縮しつつ、その太軸部３２ａは、第１座金部３３ｃの中心孔部３３ｃｃを通過して第２座金部３３ｄと接する。この位置が、目盛０地点であり、ピストン部５０の調整位置ｔｓが（図８参照）、第１接近位置ｔ1と同じ位置になる（図１参照）位置である。
【００３９】
さらに詳述すれば、伸びた第１バネ部３３ａの収縮によって、吸引量が規定される。従って、第１バネ部３３ａが最大に収縮する位置、すなわち、その太軸部３２ａが、第１座金部３３ｃの中心孔部３３ｃｃを通過して第２座金部３３ｄと接する位置が、ピストン部５０の調整位置ｔｓとなる位置であり、ピストン部５０も、ピストン収納部７０の底部７５に接近する第１接近位置ｔ1と、その調整位置ｔｓが同じ位置である。従って、上記の目盛が０になると、押圧部２０を押していない状態において、ピストン収納部７０の底部７５から離れた調整位置ｔｓが、目盛０地点となり（図４ａ、図８参照）、上述のとおりピストン部５０の調整位置ｔｓが、第１接近位置ｔ1と同じ位置であるので、第１バネ部３３ａがそれ以上収縮できないことからピペット装置１０が液体を吸引できる量が０となる。
【００４０】
また、つまみ部２３または回転リング部２７を逆回転すれば、ピストン部５０が上端部方向Ｕに移動する。これによりピストン部５０におけるピストン収納部７０の底部７５から離れた位置に変化する。
【００４１】
従って、ピストン部５０の位置が、ピストン収納部７０の底部７５からの距離が短ければ、その位置が、押圧部２０を押さない状態の場合のピストン部５０の位置であるから、そこから、押圧部２０を押した状態の場合のピストン部５０から。ピストン収納部７０の底部７５までの位置、即ち第１接近位置ｔ１までのピストン部５０の移動量が、ピペット装置１０が液体を吸引する量となる。よって、ピストン部５０と、ピストン収納部７０の底部７５との間の距離が短ければ、吸引する量は少なく、ピストン部５０と、ピストン収納部７０の底部７５との間の距離が長ければ吸引する量は多くなる。この移動量は上述の目盛部４３において、３桁の数字を表示されている、下段４３ａと、中段４３ｂと、上段４３ｃとの目盛部４３によって明確であり、当初位置ｔと調整位置ｔｓの間の任意の位置に、そのピストン部５０を配置することができ、この範囲内を自由に調整することができる。またその目盛部４３によって正確な吸引量を測ることができる。
【００４２】
このとき使用者は、必然的にピペット装置１０のケース部４０を把持することになる。この場合従来であれば、ピペット装置１０のケース部４０を把持するときに、回転リング部２７に触れてしまう場合がある。この場合、あらかじめ設定した吸引用が変化する場合があり、設定した吸引量を維持することができない恐れがある。しかしながら、本実施例におけるピペット装置１０は、リング固定部２８を有しているために、使用者は、必然的にピペット装置１０のケース部４０を把持すると同時にそのリング固定部２８を押圧することができるので回転リング部２７の回転を阻止することができる。特に本実施例におけるピペット装置１０のケース部４０の前端部方向Ｆに、リング固定部２８を配置することで、使用者がそのケース部４０を把持すれば、自然にその指がそのリング固定部２８を押圧するので、回転リング部２７の回転を阻止することができる。
【００４３】
ピペット装置１０において、液体を吸引する作業をする場合において使用者は、吸引量を上記のように調整してから、リング固定部２８を押圧しつつ押圧部２０を押し、ピストン部５０が、ピストン収納部７０の底部７５まで位置、即ち任意の当初位置ｔから第１接近位置ｔ１まで移動させる。その後使用者は、押圧部２０から手を離し、その、押圧部２０が、弾性部３３によって、上端部方向Ｕに復元するに従い液体の薬品を吸引するという一連の動作の間は、すなわち使用者が、ケース部４０を把持する間は、リング固定部２８を押圧しているので、あらかじめ設定した液体の吸引量の変動を可及的に防止することができる。
【００４４】
このように使用者は、ケース部４０を把持している間は、ほぼ必然的に、リング固定部２８を押圧しているので、回転リング部２７の回転を阻止した状態である。この状態で、使用者は、ピペット装置１０における押圧部２０を押すと、ピストンロッド部３０を通じて、ピストン部５０がピストン収納部７０の底部７５に向かって移動し（図２参照）、その、底部７５に接近する第１接近位置ｔ1に移動することは上記のとおりであるが、この状態において、液体をピペッチップ８０に浸し、使用者がケース部４０を把持したまま押圧部２０から親指を放すことで、弾性部３３によって、その押圧部２０が上端部方向Ｕに戻される。それに従い、ピストン部５０がピストン収納部７０の底部７５から離間する方向即ち上端部方向Ｕに移動すると同時に液体をそのピペットチップ８０から吸引する（図７参照）。
【００４５】
この場合であっても、使用者はケース部４０を把持したままであるので、ほぼ必然的に、リング固定部２８を押圧する。従って、回転リング部２７の回転を阻止した状態である。この状態で、使用者は、ピペット装置１０における押圧部２０を押すと、ピストンロッド部３０を通じて、ピストン部５０がピストン収納部７０の底部７５に向かって移動し、その、底部７５に接近する第１接近位置ｔ1にそのピストン部５０が配置されることにより、吸引した液体を排出することができる。これによりこのピペット装置１０は、正確な量の液体を吸引し、排出することができる。
【００４６】
この場合において、第２窓部４４、４４の内部に配置した回転リング部２７を、使用者が、その第２窓部４４、４４を通じて、回転リング部２７に不意に触れてしまった場合であっても、リング固定部２８を押圧しているので、回転リング部２７が回転することがなく、吸引量が変化することはない。従って、使用者が、リング固定部２８を押圧することで、一度設定した吸引量の変化を防止することができるものである。
【００４７】
なお、その液体の粘性によっては吸引した液体を完全に排出することができない場合がある。そのときに使用者は、さらに、ピペット装置１０における押圧部２０を押す。これにより、第１バネ部３３ａが最大に収縮する位置、すなわち、その太軸部３２ａは、第１座金部３３ｃの中心孔部３３ｃｃを通過して第２座金部３３ｄと接する位置からさらに、その第２座金部３３ｄを押す。それにより、第１バネ部３３ａよりもバネ定数が大である第２バネ部３３ｂがさらに収縮し、ピストン部５０がピストン収納部７０の底部７５に接する。これにより、吸引した液体をピストン収納部７０から完全に排出することができる（図示せず）。
【符号の説明】
【００４８】
１０  ピペット装置
２０  押圧部
２７  回転リング部
２８  リング固定部
２８′押圧されたリング固定部
３０  ピストンロッド部
３３  弾性部
４０  ケース部
４３  目盛部
４９  通気孔
４９ａ  第２通気孔
５０  ピストン部
６０  パッキン部
６１  環状内部
７０  ピストン収納部
７１  ピストン収納上部
７２  ピストン収納下部
７１ｃ  ピペットチップ保持部
８０  ピッペットチップ
ｔ    当初位置
ｔ１  第１接近位置
ｔｓ  調整位置
【図１】
2019111500.tif 000003
【図２】
2019111500.tif 000004
【図３】
2019111500.tif 000005
【図４】
2019111500.tif 000006
【図５】
2019111500.tif 000007
【図６】
2019111500.tif 000008
【図７】
2019111500.tif 000009
【図８】
2019111500.tif 000010